(57)【要約】      （修正有）【課題】性別によって使用頻度の異なる変換候補の表示順序を、性別に合わせて変更する文書処理装置を提供する。【解決手段】ユーザの入力情報に基づき文書を作成する文書作成手段と、全ての変換候補を格納する変換候補データベースと、全ての変換候補から入力情報に該当する複数の変換候補を抽出し、複数の変換候補からユーザ入力に基づいて確定した変換候補を文書作成手段に提供する変換手段と、文書と複数の変換候補とを表示する表示手段とを具備する。変換候補データベースは、男性向けデータベースと、女性向けデータベースと、性別不問データベースと、男性向けデータベースと女性向けデータベースと性別不問データベースとのうちから複数の変換候補を抽出する優先順位をユーザ入力に基づき指定するデータベース指定手段とを備える。変換手段は、優先順位に基づき複数の変換候補を取得する。表示手段は、優先順位に基づき複数の変換候補を表示する。【選択図】図１
2009230481.tif 000002
【特許請求の範囲】
【請求項１】
ユーザの入力情報に基づき文書を作成する文書作成手段と、
全ての変換候補を格納する変換候補データベースと、
前記全ての変換候補から前記入力情報に対応する複数の変換候補を抽出し、前記複数の変換候補から第１ユーザ入力に基づいて確定した変換候補を前記文書作成手段に提供する変換手段と、
前記文書と前記複数の変換候補とを表示する表示手段と
を具備し、
前記変換候補データベースは、
男性向け変換候補を格納する男性向けデータベースと、
女性向け変化候補を格納する女性向けデータベースと、
性別に無関係な変換候補を格納する性別不問データベースと、
前記男性向けデータベースと、前記女性向けデータベースと、前記性別不問データベースとのうちから前記複数の変換候補を抽出する優先順位を第２ユーザ入力に基づき指定するデータベース指定手段と
を備え、
前記変換手段は、前記優先順位に基づき前記複数の変換候補を抽出し、
前記表示手段は、前記優先順位に基づき前記複数の変換候補を表示する
文書処理装置。
【請求項２】
請求項１に記載の文書処理装置であって、
前記データベース指定手段は、前記男性向けデータベース又は前記女性向けデータベースのどちらか一方を前記第２ユーザ入力に基づき指定し、指定した一方と前記性別不問データベースとを抽出する前記優先順位を高くし、指定しない他方を抽出する前記優先順位を低くする
文書処理装置。
【請求項３】
請求項１又は２に記載の文書処理装置であって、
前記第２ユーザ入力は、性別である
文書処理装置。
【請求項４】
（ａ）文書を作成するユーザの入力情報を取得するステップと、
（ｂ）全ての変換候補から前記入力情報に対応する複数の変換候補を抽出するステップと、
（ｃ）前記複数の変換候補を表示するステップと、
（ｄ）前記複数の変換候補から第１ユーザ入力に基づいて変換候補を確定するステップと、
（ｅ）前記変換候補を前記文書に提供するステップと
を具備し、
前記ステップ（ｂ）は、
（ｂ１）男性向け変換候補を格納する男性向けデータベースと、女性向け変化候補を格納する女性向けデータベースと、性別に無関係な変換候補を格納する性別不問データベースとのうちから前記複数の変換候補を抽出する優先順位を第２ユーザ入力に基づき指定するステップと、
（ｂ２）前記優先順位に基づき前記複数の変換候補を抽出するステップと
を備え、
前記ステップ（ｃ）は、前記優先順位に基づき前記複数の変換候補を表示する
文書処理方法。
【請求項５】
請求項４に記載の文書処理方法であって、
前記ステップ（ｂ１）は、
（ｂ１−１）前記男性向けデータベース又は前記女性向けデータベースのどちらか一方を前記第２ユーザ入力に基づき指定し、指定した一方と前記性別不問データベースとを抽出する前記優先順位を高くし、指定しない他方を抽出する前記優先順位を低くするステップ
を含む
文書処理方法。
【請求項６】
請求項４又は５に記載の文書処理方法であって、
前記第２ユーザ入力は、性別である
文書処理方法。
【請求項７】
請求項４乃至６の何れか一項に記載の方法をコンピュータに実行させる
文書処理プログラム。
【発明の詳細な説明】
【技術分野】
【０００１】
本発明は、文書処理装置、文書処理方法、文書処理プログラムに関する。
【背景技術】
【０００２】
文書作成機能を有する情報処理装置は、入力情報を変換する機能を備えている。例えば、変換機能には入力したい文書の読みを入力すると、読みと漢字との対応関係を用いて漢字候補を表示し、漢字仮名交じり文に変換する仮名漢字変換機能がある。更に、入力したい文書の先頭の１文字を入力すると、その文字で始まる文字列の候補が表示される予測変換機能もある。このような文書作成機能に関して、入力したい文字列への変換効率を上げる技術が特許文献１及び２に提案されている。
【０００３】
特許文献１には、かな文字を漢字に変換する文字処理装置が提案されている。この文字処理装置は、基準情報を用意し、基準情報と変換候補との関連の度合いを調べ、関連の度合いに応じて変換候補の順位付けを行うことを特徴としている。具体的には、基準情報を季節や都道府県を示す情報とすることで、現在の季節や設定地域に合う漢字変換候補を自動的に優先するというものである。
【０００４】
特許文献２に提案されている言語処理装置は、文字変換に使用する単語をカテゴリにより管理し、且つメール送信相手毎にカテゴリを設定する。そのようにすることで、メールを作成する際に、送信相手のカテゴリに応じた単語を優先的に表示することができ、単語変換効率の向上を可能にするというものである。
【０００５】
【特許文献１】特開平８−８３２７４号公報
【特許文献２】特開２００７−２８６９１７号公報
【発明の開示】
【発明が解決しようとする課題】
【０００６】
一般的に単語や文節には、男性の使用頻度の少ないものと、女性の使用頻度の少ないものと、使用頻度が性別によって変わらないものとがある。従って、性別が考慮されていない文書処理装置にはいくつかの問題点がある。例えば、文書処理装置を使用するユーザの性別とは異なる変換候補が優先的に表示されることや、男性向け及び女性向けの単語や文節が混在して表示されることで変換候補の選択ミスが増えることなどである。これら問題点は、ユーザに目的とする文字列の入力時間を増加させる負担を掛けることになる。
【０００７】
本発明の課題は、性別によって使用頻度の異なる変換候補の表示順序を、性別に合わせて変更する文書処理装置を提供することにある。
【課題を解決するための手段】
【０００８】
本発明の文書処理装置は、ユーザの入力情報に基づき文書を作成する文書作成手段と、全ての変換候補を格納する変換候補データベースと、全ての変換候補から入力情報に該当する複数の変換候補を抽出し、複数の変換候補からユーザ入力に基づいて確定した変換候補を文書作成手段に提供する変換手段と、文書と複数の変換候補とを表示する表示手段とを具備する。そして、変換候補データベースは、男性向け変換候補を格納する男性向けデータベースと、女性向け変化候補を格納する女性向けデータベースと、性別に無関係な変換候補を格納する性別不問データベースと、男性向けデータベースと女性向けデータベースと性別不問データベースとのうちから複数の変換候補を抽出する優先順位をユーザ入力に基づき指定するデータベース指定手段とを備える。変換手段は、優先順位に基づき複数の変換候補を取得する。表示手段は、優先順位に基づき複数の変換候補を表示する。
このような文書処理装置は、性別に基づいて分けられた複数のデータベースを有して、抽出する優先順位の指定を行う。そして、指定した優先順位の高いデータベースの変換候補から表示することを可能にする。
【発明の効果】
【０００９】
本発明の文書処理装置は、性別によって使用頻度の異なる変換候補の表示順序を、性別に合わせて変更することができるため、効率の良い文字列の入力を行うことを可能にする。
【発明を実施するための最良の形態】
【００１０】
以下、添付図面を参照して本発明の実施の形態による文書処理装置を説明する。
【００１１】
図１は、本発明の文書処理装置１００の実施の形態による構成例を示すブロック図である。図１を参照すると、本発明の文書処理装置１００は、入力手段１０と、文書作成手段２０と、文書保存手段３０と、変換候補データベース４０と、変換手段５０と、表示手段６０とを具備する。
【００１２】
入力手段１０は、キーボードやボタンなどを用いたユーザ入力に基づき、文書を作成する入力情報を取得し、文書作成手段２０に提供する。また、文書作成において変換候補を確定する入力情報を取得し、変換手段５０へ提供する。更に、入力手段１０は変換候補データベース４０を指定する入力情報を取得し、変換候補データベース４０へ提供する。
【００１３】
文書作成手段２０は、入力手段１０から文書を作成する入力情報を取得し、新規の文書作成及び既存文書の変更を行う。文書作成手段２０は、文書を作成する入力情報として文字の情報を取得すると、文字の情報を変換手段５０へ提供する。そして、変換手段５０から文字の情報に対するユーザ入力によって確定した変換候補を取得する。文書作成手段２０は、文書を表示手段６０へ提供する。また、文書作成手段２０は、作成した文書を文書保存手段３０へ提供する。本明細書で説明していない文書作成に係るその他の各機能は、既存の技術を用いるとする。
【００１４】
文書保存手段３０は、文書作成手段２０から作成した文書を取得し、格納する。また、文書保存手段３０は、保存している文書を文書作成手段２０の要求に応じて提供する。
【００１５】
変換候補データベース４０は、文書を作成する入力情報の文字の情報に対応する全ての変換候補を格納する。変換候補には読みに対応する漢字候補と、入力された文字列に基づく予測候補とを含む。また、英数字や記号に対する変換候補を含んでいても良い。変換候補データベース４０は、変換手段５０から提供される文字の情報に基づいて複数の変換候補を変換手段５０へ提供する。
【００１６】
変換候補データベース４０は、男性向けデータベース４１と、女性向けデータベース４２と、性別不問データベース４３と、データベース指定手段４４とを備える。男性向けデータベース４１は、男性の使用頻度が高い変換候補を格納する。例えば、「ガンダム」、「彼女」、「貸せよ」などが一例として挙げられる。女性向けデータベース４２は、女性の使用頻度が高い変換候補を格納する。例えば、「カルティエ」、「彼氏」、「家事」などが一例として挙げられる。性別不問データベース４３は、性別によって使用頻度が変わらない変換候補を格納する。例えば、「カレー」、「蒲田」、「カラオケ」などが一例として挙げられる。
【００１７】
データベース指定手段４４は、ユーザ入力に基づき、変換手段５０に提供する複数の変換候補を抽出するデータベースの優先順位を指定する。優先順位の指定方法は、性別を基準にすることから、男性向けデータベース４１又は女性向けデータベース４２のどちらか一方を指定して、指定した一方の優先順位を高くする方法がある。このとき、性別不問データベース４３は優先して抽出するとされたデータベースと区別なく抽出されてもよいし、優先して抽出するとされたデータベースの次の優先順位で抽出されてもよい。優先順位を指定する際のユーザ入力は、性別を設定することとデータベースを指定することとのどちらでもよい。性別を設定する場合は、データベース指定手段４４がユーザ入力に基づく性別を保持し、保持された性別の優先順位を高く指定するものとする。また、他の優先順位の指定方法は、ユーザ入力に基づき変換候補データベース４０が備える男性向けデータベース４１と、女性向けデータベース４２と、性別不問データベース４３に基づき抽出する優先順位を各々指定する方法でもよい。更に、データベース指定手段４４は、優先しないデータベースを指定してもよい。本発明は性別に基づいて分けられた複数のデータベースを有することで、性別に基づき抽出する優先順位の指定ができる。即ち、性別によって使用頻度の異なる変更候補の表示順序を、性別に合わせて変更可能にしている。データベース指定手段４４は、変換手段５０の要求に基づき、優先順位を変換手段５０へ提供する。
【００１８】
変換手段５０は、入力情報として文字の情報を取得すると、データベース指定手段４４から抽出するデータベースの優先順位を取得する。変換手段５０は、文字の情報と優先順位とに基づき男性向けデータベース４１と、女性向けデータベース４２と、性別不問データベース４３とから複数の変換候補を抽出する。変換手段５０は、一文字の文字の情報を取得すると、対応する漢字候補とその一文字から始まる文字列の予測候補との両方又はどちらか一方を取得する。さらに、一文字の文字の情報に対応する変換候補で確定せずユーザ入力に基づく文字の情報が二文字以上となる場合も同様に、対応する漢字候補とその二文字以上の文字列から始まる予測候補との両方又はどちらか一方を取得する。予測候補は、携帯端末機器のようなボタンの数が少ない場合に大変有効である。変換手段５０は、抽出した複数の変換候補を出力手段６０へ提供する。
【００１９】
出力手段６０は、文書作成手段２０から文書を取得する。更に、出力手段６０は、変換手段５０から複数の変換候補を取得する。そして、取得した文書及び複数の変換候補をユーザが認識できるように表示する。このとき、複数の変換候補はデータベース指定手段４４が指定した優先順位で表示される。
【００２０】
本発明の実施の形態による文書処理装置１００は、情報処理装置を用いて実現可能である。図２は、本発明の文書処理装置１００の実施の形態における、ハードウエア構成例を示すブロック図である。図２を参照すると、本発明の文書処理装置１００は、ＣＰＵ１０１（Ｃｅｎｔｒａｌ  Ｐｒｏｃｅｓｓｉｎｇ  Ｕｎｉｔ；中央演算処理装置）と、記憶装置１０２と、入力装置１０３と、出力装置１０４と、各装置を接続するバス１０５とを備える情報処理装置で構成される。
【００２１】
ＣＰＵ１０１は、記憶装置１０２に格納されている本発明の文書処理装置１００に係る演算処理及び制御処理を行う。記憶装置１０２は、ハードディスクやメモリ等からなり、本発明に係る各機能や手段を実現するＣＤ−ＲＯＭやＤＶＤ等のコンピュータ読み取り可能な記憶媒体から読み取られたプログラムや、入力装置１０３から入力された信号やプログラム等をＣＰＵ１０１が実行可能な形式で格納する。入力装置１０３は、ボタン、キーボードなどからなり、コマンド及び信号等が入力される。出力装置１０４は、ディスプレイ、スピーカなどからなり出力情報をユーザに認識させることが出来る。尚、本発明はハードウエア構成例と示したものに限定されず、各部はハードウエアとソフトウエアとを単独又は組み合わせて実現することが出来る。
【００２２】
図３は、本発明文書処理装置１００の実施の形態による処理動作を示したフローチャートである。図３を参照して、本発明の実施の形態による処理動作を説明する。
【００２３】
入力手段１０は、ユーザ入力に基づく変換候補データベース４０を指定する入力情報を取得し、変換候補データベース４０へ提供する。データベース指定手段４４は、変換候補データベース４０を指定する入力情報に基づき男性向けデータベース４１又は女性向けデータベース４２を指定する。本処理動作の説明では、指定されたデータベースが高い優先順位とする。また、性別不問データベース４３は、優先して抽出するとされたデータベースと区別なく抽出されるとする（ステップＳ０１）。
【００２４】
文書作成手段２０は、入力手段１０から文書を作成する入力情報を取得し、新規の文書作成又は既存文書の変更を開始する（ステップＳ０２）。
【００２５】
文書作成手段２０は、文書を作成する入力情報を取得すると、ユーザ認識できるように表示手段６０に提供する。そして文書作成手段２０は、入力情報のうちで文字の情報を変換手段５０へ提供する（ステップＳ０３）。
【００２６】
変換手段５０は、文書作成手段２０から文字の情報を取得する。変換手段５０は、文字の情報を取得すると、ステップＳ０１でデータベース指定手段４４が指定した抽出するデータベースの優先順位を取得する。変換手段５０は抽出する優先順位に従って、男性向けデータベース４１と、女性向けデータベース４２と、性別不問データベース４３とから文字の情報に対応する複数の変換候補を抽出する。変換手段５０は、抽出した複数の変換候補を優先順位に従って表示されるように、表示手段６０へ提供する。表示手段６０は、変換手段５０から提供される複数の変換候補を優先順位に従って表示する（ステップＳ０４）。
【００２７】
図４は、本発明のユーザが女性の場合に、複数の変更候補を表示した携帯電話の表示例を示した図である。図４を参照すると、ユーザ入力の文字の情報として「か」が入力されている。ここで、データベース指定手段４４は、女性向けデータベース４２を優先して抽出するデータベースとして指定しているとする。指定の方法は、例えば性別の設定で女性を選択することなどでよい。また、性別不問データベース４３は、女性向けデータベース４２と区別なく抽出されるとする。変更手段５０は、「か」を取得すると、データベース指定手段４４が指定した女性向データベース４２と性別不問データベース４３とから優先して「か」に対応する複数の変更候補を抽出する。そして、変更手段５０は、女性向けデータベース４２と性別不問データベース４３との後に、男性向けデータデース４１から「か」に対応する複数の変換候補を抽出する。従って、女性の使用頻度の少ない単語や文節は変換候補の下位に表示されることになり、女性の使用頻度が高い単語や文節は変換候補の上位に表示されることになる。
【００２８】
図５は、図４と同様の状況の場合で、本発明を適用しないで複数の変換候補を表示した携帯電話の表示例を示した図である。図５を参照すると、図４と同様にユーザ入力の文字の情報として「か」が入力されている。男性向けデータベース４１と女性向けデータベース４２と性別不問データベース４３とが分かれていないため、「か」に対応する複数の変換候補が性別に対応することなく混在して表示されている。
【００２９】
入力手段１０は、ユーザ入力に基づく変換候補を確定する入力情報を取得し、変換手段５０へ提供する。変換手段５０は、確定した変換候補を文書作成手段２０へ提供する（ステップＳ０５）。
【００３０】
文書作成手段２０は、確定した変更候補を取得する。文書作成手段２０は、文書の作成が終了すると、文書を文書保存手段３０へ提供する。文書保存手段３０は、文書を格納する（ステップＳ０６）。
【００３１】
本発明の文書処理装置１００は、性別によって使用頻度の異なる変換候補の表示順序を、性別に合わせて変更することができるため、効率の良い文字列の入力を行うことを可能にする。何故なら、本発明の文書処理装置１００は、男性の使用頻度が高い変換候補を格納する男性向けデータベース４１と、女性の使用頻度が高い変換候補を格納する女性向けデータベース４２とを有し、抽出及び表示する変換候補の優先順位を性別に基づいて指定できるため、ユーザの性別に合わせて使用頻度の少ない変換候補を後方に表示することが可能だからである。これによって、目的とする文字列の変換候補を見つける時間を短縮できる効果を有し、使用しない単語や文節を誤って選択するミスも減少させることが出来る。また、性別によって表示順序が異なることをユーザが認知していれば、指定した性別では使用頻度の少ない変換候補を使用する場合でも、どのあたりにあるか予想できる効果も併せ持っている。
【００３２】
また、本発明は年齢層毎にデータベースを備える構成としてもよい。例えば、１２歳以下、１３〜１９歳、２０〜３４歳、３５〜４９歳、５０歳以上など。更に、性別と年齢とをあわせたデータベースにすることも可能である。そのように構成することによって、より効率的な文字列の入力を可能に出来る。
【図面の簡単な説明】
【００３３】
【図１】図１は、本発明の文書処理装置１００の実施の形態による構成例を示すブロック図である。
【図２】図２は、本発明の文書処理装置１００の実施の形態における、ハードウエア構成例を示すブロック図である。
【図３】図３は、本発明文書処理装置１００の実施の形態による処理動作を示したフローチャートである。
【図４】図４は、本発明のユーザが女性の場合に、複数の変更候補を表示した携帯電話の表示例を示した図である。
【図５】図５は、図４と同様の状況の場合で、本発明を適用しないで複数の変換候補を表示した携帯電話の表示例を示した図である。
【符号の説明】
【００３４】
１０    入力手段
２０    文書作成手段
３０    文書保持手段
４０    変換候補データベース
４１    男性向けデータベース
４２    女性向けデータベース
４３    性別不問データベース
４４    データベース指定手段
５０    変換手段
６０    表示手段
１００  文書処理装置
１０１  ＣＰＵ（Ｃｅｎｔｒａｌ  Ｐｒｏｃｅｓｓｉｎｇ  Ｕｎｉｔ；中央演算処理装置）
１０２  記憶装置
１０３  入力装置
１０４  出力装置
１０５  バス
【図１】
2009230481.tif 000003
【図２】
2009230481.tif 000004
【図３】
2009230481.tif 000005
【図４】
2009230481.tif 000006
【図５】
2009230481.tif 000007